(57)【要約】【課題】  本発明は、引き違い戸について補助錠を取り付けた場合、従来のように主たる錠装置のキーと補助錠のキーとの少なくとも二種類のキーを所持して管理する必要がなく、キーを必要としないタイプの補助錠については、自己所有の補助錠特有の施解錠番号を設定できるデジタル式補助錠を提供することを目的とするものである。【解決手段】  本発明は補助錠に関するものであり、引き違い戸の引き違い部に設けられる受け具と施錠部とを備え、受け部は取り付け部と掛合部とを有し、施錠部はストッパー部とデジタル操作部とを有し、デジタル操作部は複数のボタン部を有し、任意のボタン部を操作することによりストッパー部の掛合部への係止、離脱が操作可能とされ、かつ任意のボタン部選択は変更自在とされた、ことを特徴とする。【選択図】              図１
2006063547.tif 000002
【特許請求の範囲】
【請求項１】
引き違い戸の引き違い部に設けられる受け具と、該受け具に係止する施錠部とを備え、
前記受け部は外側引き違い戸の内側框に取り付けられる取り付け部と、取り付け部に設けられた掛合部とを有し、
前記施錠部は、前記掛合部に係止して内側引き違い戸の框端面に当接するストッパー部と、該ストッパー部の前記掛合部への係止、離脱を操作するデジタル操作部とを有し、
前記デジタル操作部は、複数のボタン部を有し、前記ボタン部のうち任意のボタン部を操作することによりストッパー部の前記掛合部への係止、離脱が操作可能とされ、かつ前記任意のボタン部選択は変更自在とされた、
ことを特徴とする引き違い戸のデジタル式補助錠。
【請求項２】
前記複数のボタン部には異なる数字が表記されてなることを特徴とする請求項１記載の引き違い戸のデジタル式補助錠。
【発明の詳細な説明】
【技術分野】
【０００１】
本発明は、例えば引き違い戸の引き違い部に設けられる引き違い戸のデジタル式補助錠に関するものである。
【背景技術】
【０００２】
近年においては、マンションや戸建て住宅の錠装置に対するピッキング犯罪が増加しており、そのピッキング犯罪に対し、どのような防犯対策をとらなければならないかが重要な課題とされている。
【０００３】
そして、近年では１つのドアに少なくとも２つの錠装置を取り付けるいわゆるツーロック対策が提唱されている。
【０００４】
すなわち、１つのドアに少なくとも２つの錠装置を取り付ければ、そのピッキングには２倍の時間がかかることになり、従来に比して２倍のピッキング労力が生じると共に、逆に２倍のピッキング発見可能性が生じることになるからである。
そして、後付けするいわゆる補助錠は、たとえば引き違い戸や引き違い戸の枠体を加工することなく、その取り付け作業も比較的簡単であることが好ましいとされている。
【０００５】
何故なら、第１に、賃貸マンションのような場合は、ドアやドアの枠体を加工することが禁止されていることが多いことがあげられ、第２に補助錠の取り付けを業者に任せることなく自分で簡単に取り付けられるタイプが要望されていることの理由があるからである。
【０００６】
さらに、キーを必要としない補助錠は一般に玄関ドアなどの開き戸タイプに多く提案されていあるが、引き違い戸につき、取り付けや施錠操作がきわめて簡単で、しかも防犯性に優れ、かつキーを必要としない補助錠はあまり提案されていないのが現状である。
【特許文献１】特開２００２−３４９１１４号公報
【発明の開示】
【発明が解決しようとする課題】
【０００７】
一般的に補助錠を取り付けた場合には、それを施解錠するキーが必要となり、主たる錠装置のキーと補助錠のキーとの少なくとも二種類のキーを所持して管理しておかなければならないとの課題がある。
【０００８】
また、キーを必要としないタイプの補助錠については、たとえば複数の数字を揃えて解錠するタイプの補助錠ではその数字の揃え順序（番号）が公知になってしまうと、販売されている他の補助錠を施解錠するための数字の揃え順序（番号）がすべて知られてしまうとの課題があった。
【０００９】
かくして、本発明は前記従来の課題に対処すべく創案されたものであって、引き違い戸について補助錠を取り付けた場合、該補助錠を施解錠するキーが必要ではないために、従来のように主たる錠装置のキーと補助錠のキーとの少なくとも二種類のキーを所持して管理する必要がなく、また、キーを必要としないタイプの補助錠については、たとえば複数の数字を揃えて解錠するタイプの補助錠ではその数字の揃え順序（番号）が公知になってしまっても、販売されている他の補助錠を施解錠するための数字の揃え順序（番号）は容易に変更できて自己所有の補助錠特有の施解錠番号を設定できるデジタル式補助錠を提供することを目的とするものである。
【課題を解決するための手段】
【００１０】
本発明による引き違い戸のデジタル式補助錠は、
引き違い戸の引き違い部に設けられる受け具と、該受け具に係止する施錠部とを備え、
前記受け部は外側引き違い戸の内側框に取り付けられる取り付け部と、取り付け部に設けられた掛合部とを有し、
前記施錠部は、前記掛合部に係止して内側引き違い戸の框端面に当接するストッパー部と、該ストッパー部の前記掛合部への係止、離脱を操作するデジタル操作部とを有し、
前記デジタル操作部は、複数のボタン部を有し、前記ボタン部のうち任意のボタン部を操作することによりストッパー部の前記掛合部への係止、離脱が操作可能とされ、かつ前記任意のボタン部選択は変更自在とされた、
ことを特徴とし、
または、
前記複数のボタン部には異なる数字が表記されてなることを特徴とするものである。
【発明を実施するための最良の形態】
【００１１】
以下、本発明を図に示す実施例に基づいて説明する。
【００１２】
本発明のデジタル式補助錠１は図１から理解されるように、引き違い戸２の引き違い部に設けられる。
【００１３】
図１は引き違い戸２を室内側から示したもので、該デジタル式補助錠１は、前記引き違い戸２における外側引き違いサッシ３の内側下框４に取り付けられ、デジタル式補助錠１によって内側引き違いサッシ５はその移動が阻止され、かつ外側引き違いサッシ３もその移動が規制される。
【００１４】
まず、デジタル式補助錠１は、受け具６と該受け具６に係止する施錠部７とを有して構成される。
【００１５】
受け具６は図２から理解されるように、略長方形状をなす平板状の取付体８を有して構成される。
【００１６】
該取付体８にはその幅方向両端から各々内側に折曲されて形成されたガイド部９，９が形成されており、上方のガイド部９は施錠部７係止用の三角溝部２３が連続的に形成され、全体としてノコギリ刃状に構成されている。
【００１７】
しかして、このガイド部９，９間に施錠部７幅方向両側に設けられた溝条１０，１０が嵌り込んで、前記施錠部７を取付体８の長手方向（引き違い戸２の引き違い方向）へ移動可能にし、かつ内側引き違いサッシ５の縦框１１端面に当接して係止しうるように構成されている。
【００１８】
この施錠部７の構成につき説明する。
【００１９】
該施錠部７は図９から理解されるように、略直方体状の施錠部ケース１２に各種の部材が組み込まれて構成される。
【００２０】
図９は施錠部７を縦方向に向かって断面で表した縦断面図であり、この図９を参照して説明する。
【００２１】
図９において施錠部ケース１２内にストッパー片１３が一番下側に取り付けられている。
【００２２】
尚、図５，図６から理解されるように、ストッパー片１３はその上辺に三角形状の突起１４が設けられ、該突起１４がノコギリ刃状をなす前記ガイド部９の三角溝部２３内に係止するものとなっている。
【００２３】
さらに、図５，図６に向かって左端部において軸支部１５により施錠部ケース１２に軸支されており、該軸支部１５を中心軸としてストッパー片１３が回動するよう構成されている。そして、通常はバネ部材等の弾発部材２４により前記突起１４が三角溝部２３内に嵌り合うようストッパー片１３に上方への付勢力が与えられている。
【００２４】
また、図５，図６に示すように、左端部側には打ち抜かれた切り欠き２５が形成されており、該切り欠き２５内には操作杆２９が挿通して取り付けられている。そして、該操作杆２９が切り欠き２５の斜辺２７に当接して移動すると、ストッパー片１３は下側に下がり、前記突起１４が三角溝部２３から外れるよう構成されている。
【００２５】
次に、図９において、ストッパー片１３の上側には操作ピン収納ケース１８が設けられている。
【００２６】
該操作ピン収納ケース１８の上面には、ピン状をなす複数の操作ピン１６・・・が収納される操作ピン収納孔１７が穿設されている（図５，図６参照）。
【００２７】
そして、この操作ピン収納孔１７に対応する前記施錠部ケース１２の上面位置近傍には、例えば「１」から「８」の数字が前記操作ピン１６に対応して表示される様構成される（図１参照）。
図５，図６から理解されるように、操作ピン収納孔１７は縦長の孔として横方向へ４列に並んで設けられているが、その孔の左側中央部からは外側に向かって各々仕切突起３１が突設され、かつその孔の右上隅には各々係止突起３２が突設されている。
【００２８】
ここで、操作ピン収納孔１７に収納される操作ピン１６の構成につき説明する。
図３，図４から理解されるように、操作ピン１６は略角柱状のピン胴部１９と該ピン胴部１９の先端に設けられた押圧頭部２０とから構成されており、その側面には幅方向に向かって凹状に切り欠かれた操作用切欠部２１が形成されている。
【００２９】
この操作用切欠部２１の形成位置には２種類のタイプがあり、図３に示すように、押圧頭部２０の近傍位置に設けられたタイプと、図４に示すように、押圧頭部２０から一段下がった位置に設けられたタイプとがある。
【００３０】
施錠部ケース１２の上面には図１に示すように、例えば８個の操作ピン用孔が前記操作ピン収納孔１７に対応して設けられており、決められた所定の操作ピン１６を押し下げて一段下げない限り、前記の操作ピン収納ケース１８が下側に揺動しないようになっている。
【００３１】
すなわち、図５，図６に示すように、それぞれ操作ピン１６が収納される操作ピン収納孔１７には前述した仕切突起３１及び係止突起３２が各々設けられており、該仕切突起３１及び係止突起３２に所定の操作ピン１６（図３に示す操作ピン１６）が当接し、操作ピン収納ケース１８が下側にスライドしないようになっている。
【００３２】
しかし、図９に示すように例えば数字の「１」「２」「６」と「８」（図９の断面図では数字の「６」と「８」に対応する操作ピン１６が押し下げられた状態となっている）に該当する操作ピン１６について、押し下げたときに前記仕切突起３１及び係止突起３２を通過させるよう操作切欠部２１が設けられたタイプ、すなわち押圧頭部２０の近傍位置に操作切欠部２１が設けられたタイプの操作ピン１６（図３参照）を使用すれば、当該操作ピン１６を押し下げたときに、施錠部７は解錠出来ることになる。
【００３３】
すなわち、図９に示すように、所定の操作ピン１６（ここでは数字の「１」「２」「６」と「８」に対応する操作ピン１６）を押圧して解錠状態とする。
【００３４】
この状態から施錠部本体１２の上面にある引きノブ３３を図１に向かって左側へ引き寄せる。
【００３５】
すると、前述のように図６に示すタイプの操作ピン１６と仕切突起３１及び係止突起３２との係止が解除され、操作ピン収納ケース１８が上方に設けられた上り勾配状のスライド溝３５を摺動杆３６が摺動し、その結果操作ピン収納ケース１８が下側にスライドする。
【００３６】
と同時に、施錠部本体１２内に収納されている水平可動板３４が左側にスライドし（図６参照）、その結果該水平可動板３４に固定されている前記操作杆２９が切り欠き２５の斜辺２７に当接しながら左側へスライドすると、ストッパー片１３は下側に下がり、前記突起１４が三角溝部２３から外れることとなる。
【００３７】
尚、いずれかの番号に対応する操作ピン１６を押圧して解錠状態にするかは使用者が自由に選択できるものとなっている。
【００３８】
本実施例では「１」「２」「６」と「８」に該当する操作ピン１６について押圧頭部２０から一段下がった位置に操作用切欠部２１が設けられたタイプを使用することとし、それら操作ピン１６を押圧したとき、操作ピン収納ケース１８が下側にスライドするように構成されている。
そして、このスライドと同時に水平可動板３４に固定されている前記操作杆２９が切り欠き２５の斜辺２７に当接しながら左側へスライドし、その結果ストッパー片１３は下側に下がり、前記突起１４が三角溝部２３から外れ、解錠されるのである。
【００３９】
従って、押圧頭部２０の近傍位置に操作用切欠部２１が設けられたタイプの操作ピン１６（図３に示す操作ピン１６）をほかの番号に対応する操作ピン収納孔１７に配置すればその番号を押圧したときに解錠できるものとなる。
【００４０】
尚、場合によっては押圧する操作ピン１６（図３に示す操作ピン１６）は一桁の数字にのみ、すなわち１個で使用することも出来るし、二桁の数字として、すなわち２個、三桁の数字として、すなわち３個、また五桁の数字として５個使用することも出来る。しかし、本実施例のように上側に２個、下側に２個の四桁の数字に使用するのが補助錠の操作上安定性があるといいうる。
【００４１】
この様に、本発明の補助錠であれば、自己独自の施解錠番号を自由に何通りでも作ることが出来るものとなる。
【００４２】
図９において、符号３７はリセット操作杆を示し、該リセット操作杆３７を操作することにより押し下げられた複数の操作ピン１６をもとの位置の押し上げリセットできる様に構成されている。そして、このようにリセットされたときには施錠状態となる。
【００４３】
従って、前記リセット操作杆３７の頭部を図９に向かって左側の側端面まで延出しておけば、これを内側引き違いサッシの縦框１１端面に当接させただけでリセット状態とすることが出来、施錠状態にすることが出来る。
【００４４】
そして、解錠するときには、自分で決定した所定番号の操作ピン１６を押し下げればよいことになる。
【図面の簡単な説明】
【００４５】
【図１】本発明の構成を説明する構成説明図である。
【００４６】
【図２】受け具の構成を説明する構成説明図である。
【００４７】
【図３】操作ピンの構成を説明する構成説明図（その１）である。
【００４８】
【図４】操作ピンの構成を説明する構成説明図（その２）である。
【００４９】
【図５】施錠部の動作の状態を説明する説明図（その１）である。
【００５０】
【図６】施錠部の動作の状態を説明する説明図（その２）である。
【００５１】
【図７】施錠部の構成を一部横断面にして説明した構成説明図（その１）である。
【００５２】
【図８】施錠部の構成を一部横断面にして説明した構成説明図（その２）である。
【００５３】
【図９】施錠部の構成を縦断面にして説明した構成説明図である。
【符号の説明】
【００５４】
１    デジタル式補助錠
２    引き違い戸
３    引き違いサッシ
４    外側引き違いサッシ
５    内側引き違いサッシ
６    受け具
７    施錠部
８    取付体
９    ガイド部
１０    溝条
１１    内側引き違いサッシの縦框
１２    施錠部ケース
１３    ストッパー片
１４    突起
１５    軸支部
１６    操作ピン
１７    操作ピン収納孔
１８    操作ピン収納ケース
１９    操作ピン胴部
２０    押圧頭部
２１    操作用切欠部
２３    三角溝部
２４    弾発部材
２５    切り欠き
２７    斜辺
２９    操作杆
３１    仕切突起
３２    係止突起
３３    引きノブ
３４    水平可動板
３５    スライド溝
３６    摺動杆
３７    リセット操作杆
【図１】
2006063547.tif 000003
【図２】
2006063547.tif 000004
【図３】
2006063547.tif 000005
【図４】
2006063547.tif 000006
【図５】
2006063547.tif 000007
【図６】
2006063547.tif 000008
【図７】
2006063547.tif 000009
【図８】
2006063547.tif 000010
【図９】
2006063547.tif 000011